(57)【要約】【課題】移動式粉末消火設備に消火器を併せて設置する場合において、その設置作業を容易にする。【解決手段】粉末消火薬剤を貯蔵する薬剤容器２と、薬剤容器２から粉末消火薬剤を導出するための可とう性のホースと、消火薬剤を放出させるためのノズルと、消火薬剤を放出する圧力を得るために薬剤容器２に接続される加圧用ガス容器とを備え、薬剤容器２とホースとノズルと加圧用ガス容器とが開閉扉付きの格納箱９に収納された移動式粉末消火設備において、格納箱９の内部に、消火器設置用治具１０を備える。消火器を収納するための消火器ボックスが不要となるため、消火器ボックスの手配及び設置にかかる工数及びコストを削減することができる。【選択図】図３
2018011694.tif 000002
【特許請求の範囲】
【請求項１】
粉末消火薬剤を貯蔵する薬剤容器と、
前記薬剤容器から前記粉末消火薬剤を導出するための可とう性のホースと、
前記消火薬剤を放出させるためのノズルと、
前記消火薬剤を放出する圧力を得るために、前記薬剤容器に接続される加圧用ガス容器と、
を備え、
前記薬剤容器と、前記ホースと、前記ノズルと、前記加圧用ガス容器とは、開閉扉付きの格納箱に収納され、
前記格納箱の内部に、消火器設置用治具を備えることを特徴とした移動式粉末消火設備。
【発明の詳細な説明】
【技術分野】
【０００１】
本発明は、火災発生時に人がホースを持って火元へ移動し、格納箱に収納された薬剤容器内の粉末消火薬剤を加圧によりホースから放出させることで、火災を消火できる移動式粉末消火設備に関する。
【背景技術】
【０００２】
移動式粉末消火設備は、粉末消火薬剤を貯蔵する薬剤容器と、薬剤容器から粉末消火薬剤を導出するための可撓性のホース（例えば、ホースの根元部分と先端部分とには平常時は閉じられている開閉弁が配設されている。）と、ホースの先端部に設けられ消火薬剤を目的とする場所に向かって放出させるためのノズルとを備えている。また、消火薬剤を放出するための圧力を得るために、薬剤容器には加圧用のガスが入った加圧用ガス容器が併設されており、薬剤容器、ホース、ノズル及び加圧用ガス容器の一式が開閉扉付きの格納箱に収容されている移動式粉末消火設備がある（例えば、特許文献１参照）。
【０００３】
火災の発生に際して、使用者が移動式粉末消火設備を使用する場合には、まず格納箱の扉を開き、加圧用ガス容器のハンドルを回して容器弁を開く。この操作により、加圧用ガス容器からガスが薬剤容器内に流れ込み、薬剤容器内がガスによって加圧される。次いで、ホースの根元側の放出弁を開くことで、ホース内に粉末消火薬剤と加圧用ガスとが充填される。ホースを火災の発生場所の付近にまで届くように捌いて、ホース先端のノズルを火元へ向けた状態で、ホースとノズルとの接続部分に設けられた開閉弁を開くことで、ノズルから消火薬剤が放出される。
【０００４】
消火薬剤の放出後は、ホースを貯蔵容器から外してクリーニング用ガス容器に接続し、ホース内部に残った粉末薬剤を取り除き、消火薬剤の充てん、加圧用ガス容器の交換等を行い、元の状態に復旧するか、本体ごと交換を行う。
【０００５】
このような移動式粉末消火設備は、主に駐車場や航空機格納庫等に設置されている。その特徴は、人が本体ごと持ち運びできる消火器と比べて大容量の薬剤容器と長いホースとを備えることで、広い空間での大規模な火災に対して有用であるということである。そして、使用に際しては、ホースだけを火元付近まで引っ張り、格納箱に固定された薬剤容器から大量に送り込まれる粉末消火薬剤をホースから放出させることで、広い空間で発生した大規模な火災を迅速に消火することができる。
【０００６】
また、移動式粉末消火設備は消火器と合わせて設置される場合が多く、その際は、消火器用のボックスを移動式消火設備の格納箱側面等にビスなどで固定して、その消火器ボックスの中に消火器を設置する。消火器ボックスの取り付けは、出荷時に行わずに移動式粉末消火設備の設置場所で行われる。
【先行技術文献】
【特許文献】
【０００７】
【特許文献１】特開２００１−２５９０６６号公報
【発明の概要】
【発明が解決しようとする課題】
【０００８】
しかし、移動式粉末消火設備に消火器ボックスを取り付ける場合、通常は、移動式粉末消火設備の格納箱からホースを取り出し、側面にビス穴を開けて消火器ボックスを取り付けてからホースを格納箱に戻すといった作業を行う必要があり、同日に複数台設置する場合などには、膨大な手間がかかる。
【０００９】
本発明は、このような問題にかんがみなされたもので、移動式粉末消火設備に消火器を併せて設置する場合において、その設置作業を容易にすることを課題とする。
【課題を解決するための手段】
【００１０】
本発明は、粉末消火薬剤を貯蔵する薬剤容器と、前記薬剤容器から前記粉末消火薬剤を導出するための可とう性のホースと、前記消火薬剤を放出させるためのノズルと、前記消火薬剤を放出する圧力を得るために、前記薬剤容器に接続される加圧用ガス容器と、を備え、前記薬剤容器と、前記ホースと、前記ノズルと、前記加圧用ガス容器とは、開閉扉付きの格納箱に収納され、前記格納箱の内部に、消火器設置用治具を備えることを特徴とした移動式粉末消火設備である。
【発明の効果】
【００１１】
本発明に係る移動式粉末消火設備は、格納箱の内部に消火器設置用治具を備えることにより、消火器を収納するための消火器ボックスが不要となるため、消火器ボックスの手配及び設置にかかる工数及びコストを削減することができる。
また、従来の消火器の設置方法では、格納箱に穴を開ける必要があり、その際に格納箱が変形するおそれや、格納箱の穴の位置と消火器ボックスの穴の位置とが合わなくなるおそれがあったが、本発明では、格納箱に穴を開けずに済むため、格納箱が変形するおそれや穴の位置が合わなくなるおそれがなく、機器へのダメージを大幅に低減することができる。
【図面の簡単な説明】
【００１２】
【図１】開閉扉が開いた状態における移動式粉末消火設備を示す正面図である。
【図２】消火器設置用治具の例を示す正面図である。
【図３】消火器設置用治具の例を示す側面図である。
【図４】消火器の例を示す平面図である。
【発明を実施するための形態】
【００１３】
図１に示す移動式粉末消火設備１は、粉末消火薬剤を貯蔵する薬剤容器２と、薬剤容器２から粉末消火薬剤を導出するための可とう性のホース３と、消火薬剤を放出させるためのノズル４と、消火薬剤を放出する圧力を得るために薬剤容器２に接続される加圧用ガス容器５と、粉末消火薬剤が導出されたホース３をガスクリーニングするために用いられるクリーニング用ガス容器６とを備えている。
【００１４】
薬剤容器２、ホース３、ノズル４、加圧用ガス容器５、及びクリーニング用ガス容器６は、格納箱９に収容されている。また、格納箱９には、薬剤容器２に貯蔵された粉末消火薬剤とは別に消火薬剤を放出する消火器７も収容される。
【００１５】
格納箱９は、本体部９０と、開閉扉９１とから構成されている。本体部９０は、底板９００、天板９０１、左右の側板９０２、及び背板９０３によって構成され、前面が開口した縦長箱形に形成されている。一方、開閉扉９１は、蝶番を介して本体部９０に対して開閉可能に取り付けられている。
【００１６】
開閉扉９１の前面には、使用者が開閉の際に把持する取っ手９３が取り付けられている。開閉扉９１は、使用者が取っ手９３を手前側に引くことで開放される。格納箱９は、格納箱９の重量を支えるための受台９４上に、ボルト等によって縦姿勢で締結固定されている。格納箱９が固定された受台９４は、駐車場の柱間等の床面上にアンカーボルト等で固定される。
【００１７】
薬剤容器２の内部には、例えば粉末消火薬剤（例えば、ＡＢＣ薬剤）が充填されている。薬剤容器２は、格納箱９の本体部９０に対して結合固定されている。薬剤容器２は、十分な耐圧強度を有する有底筒状の本体部２０と、本体部２０の上部に設けられた消火薬剤充填口２１と、消火薬剤充填口２１に取り付けられた開閉可能な蓋部２２とを備えている。薬剤容器２においては、移動式粉末消火設備１が使用された後、工具を用いて蓋部２２を開き、消火薬剤充填口２１から規定量の粉末消火薬剤を再度本体部２０に充填することができる。
【００１８】
また、本体部２０には、消火薬剤導出口２８が連結されている。消火薬剤導出口２８は、放出弁３８を介してホース３に接続されている。放出弁３８は、手動開閉式であり、使用者が把持して回転させる操作レバー３８０を備えている。操作レバー３８０が、例えば引き上げられた状態（引き手が水平方向を向いた状態）においては、放出弁３８は閉状態となり、引き下げられた状態（引き手が鉛直方向を向いた状態）においては、第一開閉弁３８は開状態となる。
【００１９】
さらに、本体部２０には、内部にクリーニング用ガス（例えば、二酸化炭素ガス）が充填されたクリーニング用ガス容器６が固定されている。クリーニング用ガス容器６は、移動式粉末消火設備１が使用されることで粉末消火薬剤が導出されたホース３をガスクリーニングするために用いられる。
【００２０】
ホース３は、例えば、塩化ビニル等の樹脂からなり、可撓性を備え、所定の長さ（例えば、２０ｍ）に形成されている。ホース３は、格納箱９の側版９０２及び背板９０３に沿ってねじれ等のくせをつけないように巻かれた状態で収納されている。
【００２１】
ホース３の一端３０は、放出弁３８を介して薬剤容器２の消火薬剤導出口２８に接続されている。一方、ホース３の他端は、開閉弁３７を介してノズル４に接続されている。
【００２２】
放出弁３８は、常時（消火時以外）においては閉じられた状態になっており、例えば、ボール弁であるが、これに限定されるものではなく、グローブ弁、ゲート弁又はバタフライ弁等であってもよい。一方、開閉弁３７は、例えば、ボール弁であるが、これに限定されるものではなく、グローブ弁、ゲート弁又はバタフライ弁等であってもよい。開閉弁３７は、常時（消火時以外）においては閉じられた状態になっており、その先端にはノズル４が接続されている。
【００２３】
加圧用ガス容器５は、その内部に加圧用ガス（例えば、二酸化炭素ガス）が充填されており、薬剤容器２内に加圧用ガスを供給して加圧状態にするために用いられる。加圧用ガス容器５は、薬剤容器２に固定されており、十分な耐圧強度をそなえる略円筒状のガス容器本体５０と、ガス容器本体５０の上部に取り付けられているガス容器弁５１とを備えている。ガス容器本体５０は、有底筒状の本体部の上部にガス容器弁５１が取り付けられる口部が一体形成されている。
【００２４】
ガス容器弁５１は、例えば、ゲート弁であるが、これに限定されるものではなく、グローブ弁、ボール弁又はバタフライ弁等であってもよい。ガス容器弁５１は、使用者が把持して回転させるハンドル部５１０と、加圧用ガスが排出されるガス出口５１１とを備えている。使用者がハンドル部５１０を水平面内で回転させてスピンドルを回動させると、これに伴い弁がＺ軸方向に上下動することで、ガス容器弁５１の開閉が行われる。また、ガス容器弁５１には、加圧用ガス容器５の内部の圧力が異常に上昇した場合に、自動的に圧力を放出させ内部圧力を降下させるとともに自動的に閉じる安全弁５１２が備えられている。ガス出口５１１は、薬剤容器２に連通している。
【００２５】
図２及び図３に示すように、薬剤容器２の前面側には、フック１０が取り付けられている。フック１０は、薬剤容器２の前面に沿った平板部１００と、平板部１００の下端から前方に向けて湾曲する湾曲部１０１と、湾曲部１０１から上方にのび平板部１００に向けて若干湾曲して先端が上方に向けて開放されている引っ掛け部１０２とから構成されている。
【００２６】
平板部１００は、横長部１００ａと縦長部１００ｂとが一体に成形され、全体として丸味のあるＴ字形状に形成されている。平板部１００を構成する横長部１００ａには、図３に示すように、ビス穴１１が２つ形成されており、このビス穴１１に挿入したビス１２を薬剤容器２に螺着することによって、フック１０が薬剤容器２に固定される。なお、溶接によってフック１０を薬剤容器２に固定してもよい。
【００２７】
図１に示すように、格納箱９に収容される消火器７は、消火薬剤が貯蔵されるタンク７０と、タンク７０に貯蔵される消火薬剤７０を放出させる際に操作するレバー７１と、レバー７１が操作された際に消火薬剤が流通するホース７２と、ホース７２の先端に設けられたノズル７３とを備えている。
【００２８】
図４に示すように、タンク７０には柱掛け７４が形成されている。この柱掛け７４は、タンク７０の背面側から後方に突出して形成されている。柱掛け７４を、図２及び図３に示した引っ掛け部１０２から通して湾曲部１０１で支持することにより、消火器７をフック１０に引っ掛けた状態とすることができ、これにより格納箱９の内部に消火器７を収納することができる。このように、フック１０は、格納箱９の内部に消火器７を設置するための消火器設置用治具としての機能を有する。
【００２９】
上記実施形態では、消火器設置用治具としてのフック１０は、薬剤容器２に固定することとしたが、消火器設置用治具の配設位置は、格納箱９の内部であれば、薬剤容器２には限定されない。例えば、開閉扉９１の内側の面、すなわち開閉扉９１を締めた状態において格納箱７内に向く面に消火器設置用治具を設置し、その消火器設置用治具に消火器７を引っ掛けて格納箱９の内部に消火器７を収納してもよい。
【００３０】
また、消火器設置用治具は、フック状に形成されたものには限られない、例えば、薬剤容器２や格納箱９の内部のいずれかの場所にブラケットを設置し、そのブラケットを消火器設置用治具としてもよい。この場合は、例えばブラケットが消火器７のタンク７０を側面側から包囲した状態で支持する。
【００３１】
以上のように、本発明の移動式粉末消火設備は、格納箱９の内部に消火器７を支持する消火器設置用治具を備えたことにより、消火器７を収納するための消火器ボックスが不要となるため、消火器ボックスの手配及び設置にかかる工数とコストを削減することができる。
また、従来の消火器の設置方法では、格納箱９に穴を開ける必要があり、その際に格納箱９が変形するおそれや、格納箱９の穴の位置と消火器ボックスの穴の位置とが合わなくなるおそれがあったが、本発明では、格納箱９に穴を開けずに済むため、格納箱９が変形するおそれや穴の位置が合わなくなるおそれがなく、機器へのダメージを大幅に低減することができる。
【符号の説明】
【００３２】
１：移動式粉末消火設備
２：薬剤容器
２０：本体部  ２１：消火薬剤充填口  ２２：蓋部
２８：消火剤導出口
３：ホース  ３０：一端  ３７：開閉弁
３８：放出弁  ３８０：操作レバー
４：ノズル  
５  加圧用ガス容器  ５０：ガス容器本体  
５１：ガス容器弁  ５１０：ハンドル部  ５１０：ガス出口
６：クリーニング用ガス容器
７：消火器  ７０：タンク  ７１：レバー  ７２：ホース  ７３：ノズル  ７４：柱掛け
９：格納箱  
９０：本体部  ９００：底板  ９０１：天板  ９０２：側版  ９０３：背板
９１：開閉扉  ９３：取っ手  ９４：受台
１０：フック（消火器設置用治具）
１００：平板部  １００ａ：横長部  １００ｂ：縦長部
１０１：湾曲部  １０２：引っ掛け部
１１：ワッシャー  １２，１３：ビス
【図１】
2018011694.tif 000003
【図２】
2018011694.tif 000004
【図３】
2018011694.tif 000005
【図４】
2018011694.tif 000006